(57)【要約】【課題】  縦綴じ、横綴じの判別を自動的に高い精度で行うことができる綴じ方向の判別方法および装置を提供する。【解決手段】  冊子状の通帳１０の綴じ方向を判別する綴じ方向の判別方法であって、通帳１０での搬送方向に直交する幅方向について所定間隔を保持した少なくとも２箇所で通帳１０の厚さを検知し、これらの厚さに関するデータから、通帳１０の綴じ方向を判別する。【選択図】  図５
2005343655.tif 000002
【特許請求の範囲】
【請求項１】
冊子状の記録媒体の綴じ方向を判別する綴じ方向の判別方法であって、
前記記録媒体での搬送方向に直交する幅方向について所定間隔を保持した少なくとも２箇所で前記記録媒体の厚さを検知し、これらの厚さについてのデータから、前記記録媒体の綴じ方向を判別する綴じ方向の判別方法。
【請求項２】
予め使用する各種通帳の縦横寸法データを保存しておくとともに、
前記綴じ方向の判別の際に、前記通帳の縦横寸法も計測し、
前記２個所で検知される厚さが同一と判断された場合には、前記通帳の縦横寸法の計測データから綴じ方向を判別する請求項１に記載の綴じ方向の判別方法。
【請求項３】
記録媒体の綴じ方向を判別する綴じ方向の判別装置であって、
前記記録媒体の搬送方向に直交する幅方向について、所定間隔を保持した少なくとも２箇所に設置する厚さ検知手段と、
この厚さ検知手段による厚さデータから、前記記録媒体の綴じ方向を判別する制御部を備える綴じ方向の判別装置。
【請求項４】
予め使用する各種通帳の縦横寸法データを保存する記憶部と、
前記通帳の縦横寸法を計測する手段を備え、
前記制御部は、前記２個所で検知される厚さが同一と判断された場合に、前記通帳の縦横寸法の計測データから綴じ方向を判別する請求項３に記載の綴じ方向の判別装置。
【発明の詳細な説明】
【技術分野】
【０００１】
本発明は、金融機関で使用されている通帳などの冊子状の記録媒体の綴じ方向を判別する綴じ方向の判別方法および装置に関する。
【背景技術】
【０００２】
銀行や郵便局などの金融機関で使用されている冊子状の預金通帳などは、一般に、横方向に綴じた（横綴じ）ものが多いが、一部には縦方向に綴じた（縦綴じ）ものも使用されている。そのため、これら横綴じ、縦綴じいずれのものでも使用できる併用タイプの通帳プリンタも開発されている。
【０００３】
通常、このような併用タイプの通帳プリンタでは、通帳をプリンタ内部に送り込み、印字部へ搬送する際に、搬送路に設置の媒体検出センサで通帳の大きさを識別することにより、あるいは上位アプリケーションから指定された通帳を操作者が選択して挿入することにより、縦綴じ、横綴じの判別を行っている。また、このようにして縦綴じ、横綴じの判別を行った後には、印字部での印字動作に先立ち、開いた通帳の印字頁の厚さを厚さ検知手段で検知して印字ギャップを調整している。
【特許文献１】実願平３−５８８８６号公報
【発明の開示】
【発明が解決しようとする課題】
【０００４】
しかしながら、このような併用タイプの通帳プリンタでは、例えば、通帳が斜め送りされたときなどには、その通帳の大きさ検出する際に検出誤差を生じるおそれがある。従って、通帳の大きさについてのデータだけで判断すると、綴じ方向の判別が難しいおそれがある。また、操作者が業務画面から指定された通帳を選択する際に、綴じ方向を間違って挿入するおそれもある。このような場合には、綴じ目部分に誤って印字がされたり、次頁まで続くような印字動作の際に綴じ方向に直交する方向に頁めくりして、通帳が折損したり機械が故障するなどのおそれもある。
【０００５】
本発明は、上記事情に鑑みてなされたもので、縦綴じ、横綴じの判別を自動的に高い精度で行うことができる綴じ方向の判別方法および装置を提供することを目的とする。
【課題を解決するための手段】
【０００６】
本発明の綴じ方向の判別方法は、冊子状の記録媒体の綴じ方向を判別する綴じ方向の判別方法であって、
前記記録媒体での搬送方向に直交する幅方向について所定間隔を保持した少なくとも２箇所で前記記録媒体の厚さを検知し、これらの厚さについてのデータから、前記記録媒体の綴じ方向を判別する構成となっている。
【０００７】
この構成により、縦綴じ、横綴じの判別を自動的に行うことができる。
【０００８】
また、本発明の綴じ方向の判別方法は、予め使用する各種通帳の縦横寸法データを保存しておくとともに、
前記綴じ方向の判別の際に、前記通帳の縦横寸法も計測し、
前記２個所で検知される厚さが同一と判断された場合には、前記通帳の縦横寸法の計測データから綴じ方向を判別する構成となっている。
【０００９】
左右の厚さが同じ場合には、殆ど大部分が横綴じタイプの場合に該当するものであるが、一部は縦綴じタイプであって、かつ全頁のなかでちょうど真ん中の頁を開いた状態の場合もあり、この場合にも、この構成により判別可能となる。
【００１０】
本発明の綴じ方向の判別装置は、記録媒体の綴じ方向を判別する綴じ方向の判別装置であって、
前記記録媒体の搬送方向に直交する幅方向について、所定間隔を保持した少なくとも２箇所に設置する厚さ検知手段と、
この厚さ検知手段による厚さデータから、前記記録媒体の綴じ方向を判別する制御部を備える構成となっている。
【００１１】
この構成により、縦綴じ、横綴じの判別を自動的に行うことができる。
【００１２】
また、本発明の綴じ方向の判別装置は、予め使用する各種通帳の縦横寸法データを保存する記憶部と、
前記通帳の縦横寸法を計測する手段を備え、
前記制御部は、前記２個所で検知される厚さが同一と判断された場合に、前記通帳の縦横寸法の計測データから綴じ方向を判別する構成となっている。
【００１３】
左右の厚さが同じ場合には、殆ど大部分が横綴じタイプの場合に該当するものであるが、一部は縦綴じタイプであって、かつ全頁のなかでちょうど真ん中の頁を開いた状態の場合もあり、この場合にも、この構成により判別可能となる。
【発明の効果】
【００１４】
本発明によれば、縦綴じ、横綴じの判別を自動的に行うことができる綴じ方向の判別方法および装置を提供できる。
【発明を実施するための最良の形態】
【００１５】
以下、本発明の実施形態について、添付図面を参照しながら詳細に説明する。
図１及び図２は、本発明に係る綴じ方向の判別方法が適用された印字装置を備える通帳プリンタ１を示すものであり、この通帳プリンタ１は、媒体検出手段２と、媒体厚検知手段３と、印字ヘッド部４と、プラテン部５と、主制御部６などを備えている。
なお、図中、符号７は搬送路７０上側に設けた図示外のモータで駆動されるフィードローラ７１とこれに対設する搬送路７０下側に設けた従動ローラ７２とを複数箇所に有する搬送部、１０は記録媒体である冊子状の通帳を示す。
【００１６】
媒体検出手段２は、記録媒体である通帳１０の搬送路７０での通過を検出することにより、通帳のサイズを検出するものであり、本実施形態では、図２に示すように６個のフォトセンサ２１〜２６と、これらのフォトセンサ２１〜２６を制御する媒体検出制御部２７（図４参照）とを備えている。
【００１７】
媒体厚検知手段３は、図２に示すように、通帳１０の厚さを検知するためのものであり、印宇ヘッド部４に隣接した状態で搬送路７０の幅方向（通帳の幅方向）に沿って一定距離だけ離間した２箇所に設置している。本実施形態では、図３に示すように、上下方向の高さが不動状態にあるフィードローラ３１と、媒体搬送路７０を隔てて駆動ローラ３１と対設する位置において上下方向に昇降可能に設けたセンシングローラ３２と、そのセンシングローラ３２をマウントするローラブラケット３３と、このローラブラケット３３と一体のマスク部３３Ａと、ローラブラケット３３を支持し通帳１０の搬送方向に対して垂直方向に昇降させる図示外の移動機構と、センシングローラ３２をフィードローラ３１に圧接させる図示外のトーションバネと、後述するプラテン５１と一体のフォトセンサ５１Ａと、このフォトセンサ５１Ａの出力に接続された厚さ検知制御部３５(図４参照)などを備えている。
【００１８】
この媒体厚検知手段３では、図３に示すように、フィードローラ３１とセンシングローラ３２との間に通帳１０が搬送されてくると、通帳１０の厚さ分だけセンシングローラ３２が押し下げられ、このときセンシングローラ３２をマウントするローラブラケット３３も押し下げられる。
そして、通帳１０の搬送動作が停止すると、プラテン５１は、このプラテン５１と一体に付設されているフォトセンサ５１Ａがホームポジション（ＨＰ）のマスク３４で遮光されていた最下位置から、ローラブラケット３３のマスク部３３Ａで遮光される位置まで上昇する。ここで、この移動量（Ｓ１）は、後述する図示外のプラテン用のステップモータの回転量から検出できる。なお、ホームポジション（ＨＰ）の位置から、フィードローラ３１とセンシングローラ３２とが通帳１０を介さずに当接する状態の位置まで上昇するときのフォトセンサ５１の移動量(基準移動量；Ｓ０)も、予め図示外の記憶部に保存されている。
従って、通帳１０の厚さ分だけ降下したセンシングローラ３２の下方への移動量（Ｓ０−Ｓ１）、つまり通帳１０の厚さが、フォトセンサ５１Ａを介して検知できる。また、このときのプラテン５１の高さは、印字ヘッドと通帳とのギャップ（これを、「印字ギャップＬ」とよぶ）が最適値となるように設定されており、最適な印字状態になる。
【００１９】
印字ヘッド部４は、図３に示すように、印字ヘッド４１と、リボンプロテクタブラケット４１Ａなどを備えている。
この印字ヘッド４１は、本実施形態の場合、インクリボンを介してドットピンを通帳１０に打ち付けて印字を行うインパクトタイプのものであり、図４には示してないが、通帳１０の印字面に略平行に、かつ、通帳１０の搬送方向に対して略直角の方向に移動するキャリッジに搭載されている。この印字ヘッド４１は、キャリッジと一体に主走査方向に往復移動を行い、制御部６により印字指令を受けた位置で、通帳１０の印字面に向けてインクリボンを介して印字ヘッドのドットピンを打ち付け、印字面に印字を行うようになっている。
【００２０】
プラテン部５は、プラテン５１が印字ヘッド４に対して接近、離反する方向に移動されるもので、その移動は図示外のプラテン用のステップモータを備えた移動手段によりなされる。また、このプラテン５１には、前記フォトセンサ５１Ａが固定して取り付けられており、プラテン５１と一体に上下動するようになっている。
【００２１】
主制御部６は、マイクロプロセッサを用いており、媒体検出手段２の媒体検出制御部２７及び媒体厚検知手段３の厚さ検知制御部３５などと接続されている。また、媒体検知制御部２７は、入力が媒体検出センサ２１〜２６の出力に接続されているとともに、媒体厚検知手段３は、入力がフォトセンサ５１Ａの出力に接続されている。従って、制御部６は、これらのセンサ信号に基づき、通帳１０の左右両側の厚さを検知して縦綴じ、横綴じいずれであるのかを判別する。
なお、この主制御部６には、上記以外にも図示しないが、挿入検知センサ、頁／行読み取りセンサ、頁めくり機構、フィードローラ用モータ、プラテン用のステップモータなどが接続されている。
【００２２】
次に、本発明の通帳の綴じ方向の判別方法について、説明する。なお、ここで使用する通帳は、縦横のサイズがいずれも異なるものを使用するものとする。
例えば、図５（Ａ）に示すように、通帳１０を開いて左右の厚さを媒体厚検知手段３で検知したときに、左右の厚さが同じか否かで以下の２つの場合に分けて、その判別を行う。
Ａ）左右の厚さが同じ場合：
この場合には、殆ど大部分が横綴じタイプの場合（Ａ１タイプ）に該当するもの（即ち、図５（Ｂ）の場合）であるが、一部は縦綴じタイプであって、かつ全頁のなかでちょうど真ん中の頁を開いた状態に該当する場合（Ａ２タイプ）も考えられる。したがって、使用することが予定されている各種サイズの通帳を開いたときの縦、横各寸法を計測して図示外の記憶部に予め格納しておく。そして、各通帳１０の綴じ方向を検出するときには、厚さ検知の前に媒体検出手段で実際に検出した通過時間などのデータから、制御部６が縦横の寸法を算出し、この算出値と記憶部の格納してある先述のデータとのつきあわせから、Ａ１、Ａ２タイプのいずれの場合かを最終的に判別できる。
Ｂ）左右の厚さが異なる場合（即ち、同図（Ｃ）の場合）：
この場合には、縦綴じタイプであって、開いたときの通帳の左右の頁の厚さが異なる場合に該当するので、縦綴じタイプであるとの判別を直ちに行うことができる。
【００２３】
次に、本発明に係る通帳の綴じ方向の具体的な判別方法について、図６のフローチャートを参照しながら説明する。なお、ここで使用する通帳は、縦横のサイズがいずれも異なるものを使用するものとする。
記帳すべき冊子状の通帳１０を通帳プリンタ１の挿入口にセットすると（第１ステップＳ１）、搬送部のフィードローラ７１と従動ローラ７２とによりプリンタ奥部方向に向けて搬送されて行き、初めに、複数のセンサ２１〜２６からなる媒体検出手段２で通帳１０の通過を検出し、厚さ検出位置で搬送を停止する（第２ステップＳ２）。
次に、この先の印字部４の手前の搬送路７０に設けた媒体厚検知手段３で通帳１０の左右２箇所での厚さを検知する（第３ステップＳ３）。そして、左右の厚さが同じか否かを判別する（第４ステップＳ４）。ここで、左右の厚さが同じ場合には、第５ステップＳ５へ移行するとともに、左右の厚さが異なる場合には、第６ステップＳ６へ移行する。
そして、第５ステップＳ５では、ここで判別すべき通帳が横綴じタイプの通帳であるか、縦綴じタイプの通帳であるかを、すでに検出してあった媒体検出手段２での検出データ（例えば、通過時間など）から通帳１０の縦横サイズを制御部６が算出する。そして、この算出データと図示外の記憶部に予め格納されていたデータとの突合せから、通帳１０がＡ１、Ａ２タイプのいずれの場合であるかを判別する。
一方、第６ステップＳ６では、左右の厚さが異なることから、直ちに縦綴じタイプであると判断する。
以上で、通帳１０の縦横綴じ方向の判別処理が終了する。
【００２４】
したがって、本実施形態によれば、この縦横綴じ方向の判別データに基づき、その後の印字動作を正確に行うことができる。即ち、一般的に広く採用されている横綴じタイプでは、左側に設置してある方の厚さ検知手段３で検知した厚さ（印字厚）に応じて、印字ギャップを調整する。一方、縦綴じタイプでは、一般的に左右の厚さ（印字厚）が異なるので、左右の頁ごとに、厚さ検知手段３で検知した印字厚に応じて印字ギャップを調整する。
これにより、縦横いずれの綴じ方向の通帳１０であっても、正確な印字動作を行うことができるようになり、誤って綴じ目に印字されるようなトラブルが回避できる。
【００２５】
なお、本発明は、上述した実施形態に何ら限定されるものではなく、その要旨を逸脱しない範囲において種々の形態で実施し得るものである。
【産業上の利用可能性】
【００２６】
本発明は、記録媒体での搬送方向に直交する幅方向について所定間隔を保持した少なくとも２箇所で記録媒体の厚さを検知し、これらの厚さに関するデータから、記録媒体の綴じ方向を判別するように構成しており、縦綴じ、横綴じの判別を自動的に高い精度で行うことができるようになり、例えば金融機関で使用されている記帳機や自動預金支払兼用機などに設けた通帳プリンタなどとして有用である。
【図面の簡単な説明】
【００２７】
【図１】本発明に係る綴じ方向の判別装置が設けられた通帳プリンタを示す概略側面図
【図２】本発明に係る綴じ方向の判別装置に用いる厚さ検知手段が設置された搬送路を示す説明図
【図３】本発明に係る通帳プリンタの印字ヘッド周辺を示す拡大側面図
【図４】本発明に係る通帳プリンタの電気的構成を示す拡大斜視図
【図５】本発明に係る綴じ方向の判別原理を示すものであって、（Ａ）は側面図、（Ｂ）は横綴じ通帳を示す斜視図、（Ｃ）は縦綴じ通帳を示す斜視図
【図６】本発明に係る綴じ方法を示すフローチャート
【符号の説明】
【００２８】
１  印字装置
１０  通帳(冊子状の記録媒体)
２  媒体検出手段(サイズ検出手段)
２１〜２６  フォトセンサ（媒体検出センサ）
３  媒体厚検知手段
３１  フィードローラ
３２  センシングローラ（厚さ検知手段）
３３Ａ  マスク部（厚さ検知手段）
３４  マスク（ホームポジション）
４  印字ヘッド部
４１  印字ヘッド
５  プラテン部
５１  プラテン
５１Ａ  フォトセンサ（厚さ検知手段）
６  主制御部
７  搬送部
７０  搬送路
【図１】
2005343655.tif 000003
【図２】
2005343655.tif 000004
【図３】
2005343655.tif 000005
【図４】
2005343655.tif 000006
【図５】
2005343655.tif 000007
【図６】
2005343655.tif 000008